(57)【特許請求の範囲】
【請求項１】
複数の管分岐路（３，４２）を有する管分岐マニホールド（７，３８）であって、
ａ．各管分岐路（３，４２）は、進入ブロックバルブ（４）と、出口ブロックバルブ（６）と、前記進入ブロックバルブ（４）と前記出口ブロックバルブ（６）との間の、ブリードバルブ（５）を備えるブリード出口とを有しており、各管分岐路（３，４２）の標準的な作動において、それぞれの前記進入ブロックバルブ（４）および前記出口ブロックバルブ（６）が開放し、かつそれぞれの前記ブリードバルブ（５）が閉鎖し、各管分岐路（３，４２）の試験作動またはメンテナンス作動において、それぞれの前記進入ブロックバルブ（４）および前記出口ブロックバルブ（６）が閉鎖され、かつそれぞれの前記ブリードバルブ（５）が開放し、
ｂ．前記マニホールド（７，３８）は、標準的な作動から試験作動またはメンテナンス作動へ切り替えるために前記管分岐路（３，４２）のいずれも選択しないかまたは前記管分岐路（３，４２）のうちの１つを選択するためのセレクタ手段（１２，３９）を有しており、該セレクタ手段（１２，３９）は、選択された前記管分岐路（３，４２）の１つの前記進入ブロックバルブ（４）のみを閉鎖させ、このことが、引き続き、試験作動またはメンテナンス作動それぞれに切り替えるためにそれぞれの前記ブリードバルブ（５）および前記出口ブロックバルブ（６）を開放および閉鎖させる、管分岐マニホールド（７，３８）において、
ｃ．前記セレクタ手段（１２，３９）は、標準的なブロッキングエレメント（２３，４３）と、試験許容エレメント（３１，４８）とを有しており、
ｄ．各進入ブロックバルブ（４）は、前記標準的なブロッキングエレメント（２３，４３）に確実に嵌合する標準的なブロッキングカウンターエレメント（２４，４５）と、前記試験許容エレメント（３１，４８）に確実に嵌合する試験許容カウンターエレメント（３２，５０）とを備える、進入制御手段（８，９，４１，５１，６７，８４）を有しており、
それぞれの管分岐路（３，４２）の標準的な作動において、前記標準的なブロッキングエレメント（２３，４３）と前記標準的なブロッキングカウンターエレメント（２４，４５）との機械的な相互作用が、前記進入ブロックバルブ（４）が閉鎖することを防止し、試験作動のためにそれぞれの管分岐路（３，４２）を選択した後、前記試験許容エレメント（３１，４８）と前記試験許容カウンターエレメント（３２，５０）との機械的な相互作用が、前記進入ブロックバルブ（４）を閉鎖させ、引き続き、それぞれの前記ブリードバルブ（５）および前記出口バルブ（６）を開放および閉鎖させ、前記試験作動または前記メンテナンス作動を可能にすることを特徴とする、管分岐マニホールド（７，３８）。
【請求項２】
前記標準的なブロッキングカウンターエレメント（２４，４５）および前記試験許容エレメント（３１，４８）は、切欠（１４，１６，４０，４７）であることを特徴とする、請求項１記載の管分岐マニホールド（７，３８）。
【請求項３】
前記進入制御手段（８，９，４１，５１，６７，８４）は、回転可能なディスクであることを特徴とする、請求項１または２記載の管分岐マニホールド（７，３８）。
【請求項４】
前記試験許容カウンターエレメント（３２，５０）は、ディスクの半径を有することを特徴とする、請求項３記載の管分岐マニホールド（７）。
【請求項５】
前記セレクタ手段（１２）は、回転可能なディスクであることを特徴とする、請求項１から４までのいずれか１項記載の管分岐マニホールド（７）。
【請求項６】
各ブリードバルブ（５）は、前記進入制御手段（８，９，４１，５１，６７，８４）における第２の標準的なブロッキングエレメント（２６，７７，９２）に確実に嵌合する第２の標準的なブロッキングカウンターエレメント（２７，９３）と、前記進入制御手段（８，９，４１，５１，６７，８４）における第２の試験許容エレメント（３３，５９，７４，９７）に確実に嵌合する第２の試験許容カウンターエレメント（３４，６１，７６，９８）とを備えるブリード制御手段（１０，５２，６８，８５）を有しており、前記進入ブロックバルブ（４）の開放状態において、前記第２の標準的なブロッキングエレメント（２６，７７，９２）と前記第２の標準的なブロッキングカウンターエレメント（２７，９３）との機械的な相互作用が、前記ブリードバルブ（５）が開放することを防止し、前記進入ブロックバルブ（４）の閉鎖状態において、前記第２の試験許容エレメント（３３，５９，７４，９７）と前記第２の試験許容カウンターエレメント（３４，６１，７６，９８）との機械的な相互作用が、前記ブリードバルブ（５）を開放させることを特徴とする、請求項１から５までのいずれか１項記載の管分岐マニホールド（７，３８）。
【請求項７】
前記第２の標準的なブロッキングカウンターエレメント（２７，９３）および前記第２の試験許容エレメント（３３，５９，７４，９７）は、切欠（１７，１９，５５，５６，５７，７１，８７，８８）であることを特徴とする、請求項６記載の管分岐マニホールド（７，３８）。
【請求項８】
前記ブリード制御手段（１０，５２，６８，８５）は、第２の回転可能なディスクであることを特徴とする、請求項６または７記載の管分岐マニホールド（７，３８）。
【請求項９】
前記第２の標準的なブロッキングエレメント（２６，７７，９２）は、前記ディスクの半径を有しており、前記第２の試験許容カウンターエレメント（３４，６１，７６，９８）は、前記第２のディスクの半径を有することを特徴とする、請求項８記載の管分岐マニホールド（７，３８）。
【請求項１０】
各出口ブロックバルブ（６）は、前記ブリード制御手段（１０，５２，６８，８５）における第３の標準的なブロッキングエレメント（２９，６２，７７，９５）に確実に嵌合する第３の標準的なブロッキングカウンターエレメント（３０，６４，７９，９６）と、前記ブリード制御手段（１０，５２，６８，８５）における第３の試験許容エレメント（３５，６５，８１，９９）に確実に嵌合する第３の試験許容カウンターエレメント（３７，６６，８３，１０１）とを備える出口制御手段（１１，５３，６９，８６）を有しており、前記進入ブロックバルブ（４）の開放状態において、前記第３の標準的なブロッキングエレメント（２９，６２，７７，９５）と前記第３の標準的なブロッキングカウンターエレメント（３０，６４，７９，９６）との機械的な相互作用が、前記出口ブロックバルブ（６）が閉鎖することを防止し、前記ブリードバルブ（５）の開放状態において、前記第３の試験許容エレメント（３５，６５，８１，９９）と前記第３の試験許容カウンターエレメント（３７，６６，８３，１０１）との機械的な相互作用が、前記出口ブロックバルブ（６）を閉鎖させることを特徴とする、請求項６から９までのいずれか１項記載の管分岐マニホールド（７，３８）。
【請求項１１】
前記第３の標準的なブロッキングカウンターエレメント（３０，６４，７９，９６）および前記第３の試験許容エレメント（３５，６５）は、切欠（２０，２１，５７，６３，７８，８９，９０）であることを特徴とする、請求項１０記載の管分岐マニホールド（７，３８）。
【請求項１２】
前記出口制御手段（１１，５３，６９，８６）は、第３の回転可能なディスクであることを特徴とする、請求項１０または１１記載の管分岐マニホールド（７，３８）。
【請求項１３】
前記第３の標準的なブロッキングエレメント（２９，６２，７７，９５）は、前記第２のディスクの半径を有しており、前記第３の試験許容カウンターエレメント（３７，６６）は、前記第３のディスクの半径を有することを特徴とする、請求項１２記載の管分岐マニホールド（７，３８）。
【請求項１４】
流体ライン（２，４６）のための高度圧力保護システム（ＨＩＰＰＳ）であって、該ＨＩＰＰＳは、オン／オフバルブと、ロジックソルバと、ラインの下流圧力を監視するためのイニシエータと、アクチュエータとを有しており、前記オン／オフバルブは、前記下流圧力が臨界値を超えると自動的に閉鎖し、前記イニシエータは、複数の管分岐路（３，４２）を備える管分岐マニホールド（７，３８）を有しており、各管分岐路（３，４２）はそれぞれの圧力トランスミッタに接続されている、高度圧力保護システム（ＨＩＰＰＳ）において、請求項１から１３までのいずれか１項記載の管分岐マニホールド（７，３８）を有することを特徴とする、高度圧力保護システム（ＨＩＰＰＳ）。
【請求項１５】
複数の管分岐路（３，４２）を有する管分岐マニホールド（７，３８）であって、各管分岐路（３，４２）は、進入ブロックバルブ（４）と、出口ブロックバルブ（６）と、前記進入ブロックバルブ（４）と前記出口ブロックバルブ（６）との間の、ブリードバルブ（５）を備えるブリード出口とを有しており、各管分岐路（３，４２）の標準的な作動において、それぞれの前記進入ブロックバルブ（４）および前記出口ブロックバルブ（６）が開放し、かつそれぞれの前記ブリードバルブ（５）が閉鎖される、管分岐マニホールド（７，３８）を作動させる方法であって、
ａ．前記標準的な作動から試験作動へ切り替えるために前記管分岐路（３，４２）のうちのいずれかを選択するステップを含み、
ｂ．前記試験作動において、それぞれの前記進入ブロックバルブ（４）および前記出口ブロックバルブ（６）が閉鎖され、かつそれぞれの前記ブリードバルブ（５）が開放され、
ｃ．前記管分岐路（３，４２）を選択するために、前記マニホールド（７，３８）のセレクタ手段（１２，３９）が、選択された前記管分岐路（３，４２）の前記進入ブロックバルブ（４）のみを閉鎖させる、方法において、
前記セレクタ手段（１２，３９）は、標準的なブロッキングエレメント（２３，４３）と、試験許容エレメント（３１，４８）とを有しており、各進入ブロックバルブ（４）が、前記標準的なブロッキングエレメント（２３，４３）に確実に嵌合する標準的なブロッキングカウンターエレメント（２４，４５）と、前記試験許容エレメント（３１，４８）に確実に嵌合する試験許容カウンターエレメント（３２，５０）とを備える進入制御手段（８，９，４１，５１，６７，８４）を有しており、
ｄ．それぞれの前記管分岐路（３，４２）の標準的な作動において、前記標準的なブロッキングエレメント（２３，４３）と前記標準的なブロッキングカウンターエレメント（２４，４５）との機械的な相互作用が、前記進入ブロックバルブ（４）が閉鎖することを防止し、
ｅ．試験作動のためにそれぞれの前記管分岐路（３，４２）を選択した後、前記試験許容エレメント（３１，４８）と前記試験許容カウンターエレメント（３２，５０）との機械的な相互作用が、前記進入ブロックバルブ（４）を閉鎖させることを特徴とする、管分岐マニホールド（７，３８）を作動させる方法。
【発明の詳細な説明】
【技術分野】
【０００１】
本発明は、管分岐マニホールドおよび管分岐マニホールドを作動させる方法に関し、管分岐マニホールドは複数の管分岐路を有しており、各管分岐路は、進入ブロックバルブと、出口ブロックバルブと、進入ブロックバルブと出口ブロックバルブとの間の、ブリードバルブを備えるブリード出口とを有しており、各管分岐路の標準的な作動において、それぞれの進入ブロックバルブおよび出口ブロックバルブは開放し、かつそれぞれのブリードバルブは閉鎖され、各管分岐路の試験作動またはメンテナンス作動において、それぞれの進入ブロックバルブおよび出口ブロックバルブは閉鎖され、かつそれぞれのブリードバルブは開放し、マニホールドは、標準的な作動から試験作動またはメンテナンス作動へ切り替えるために管分岐路のいずれも選択しないかまたは管分岐路のうちの１つを選択するためのセレクタ手段を有しており、セレクタ手段は、選択された管分岐路の１つの進入ブロックバルブのみを閉鎖させ、このことは、引き続き、試験作動またはメンテナンス作動へそれぞれ切り替えるためにそれぞれのブリードバルブおよび出口ブロックバルブを開放および閉鎖させる。
【０００２】
択一的に、各管分岐路の試験作動において、進入ブロックバルブは閉鎖され、ブリードバルブおよび出口ブロックバルブの双方は開放し、ブリードバルブを、試験圧力における試験流体のための進入箇所として使用することができ、各管分岐路のメンテナンス作動において、それぞれの進入ブロックバルブおよび出口ブロックバルブは閉鎖され、かつそれぞれのブリードバルブは開放し、択一的に、専用の試験接続を出口ブロックバルブの下流に加えることができる。
【０００３】
背景技術
上記を特徴とする装置は、一般的に、“Ｎ中の１ダブルブロックおよびブリードマニホールド”として知られており、“Ｎ”は１より大きい数字であり、“Ｎ中の１”および“ダブルブロックおよびブリード”という表現は、しばしば、“１ｏｏＮ”および“ｄｂｂ”として短縮される。１ｏｏ３  ｄｂｂマニホールドは、特にオイルまたはガスパイピングシステムにおいて、特に流体ラインのための“高度圧力保護システム”（ＨＩＰＰＳ）において使用される。このようなＨＩＰＰＳにおいて、１ｏｏ３  ｄｂｂマニホールドの３つのラインは、１ｏｏ２または３以上（４つ以上のライン）のうちの２つのラインであることもできるが、それぞれ、オン／オフバルブの下流において圧力が監視されるために、独立した圧力トランスミッタまたはスイッチと接触している。圧力トランスミッタのいずれかが、圧力が臨界値を超えているという信号を送信したときにはいつでも、ＨＩＰＰＳは、１つまたは複数のバルブを閉鎖する。圧力は、圧力トランスミッタによって測定され、圧力トランスミッタ信号は、ロジックソルバによって２ｏｏ３と見なされ、３つのトランスミッタのうちの２つが高い信号を与えると、ロジックソルバは、さらなる圧力上昇を阻止するために１つまたは複数のバルブを閉鎖する。
【０００４】
３つの独立した圧力トランスミッタを有することは、圧力トランスミッタの特に周期的な検査、試験、較正、メンテナンス、修理または交換（以下“試験およびメンテナンス”と要約する）中の妨害ない冗長な測定および作動を保証する。圧力トランスミッタのいずれかを検査するために、関連する管分岐路は、その進入ブロックバルブを閉鎖することによって流体管から分離され、ブリードバルブを周囲へ開放することによって残留圧力を圧力トランスミッタから解放させ、出口ブロックバルブを閉鎖することによって圧力トランスミッタが周囲から隔離される。圧力トランスミッタを検査および／またはメンテナンスした後、出口ブロックバルブを開放することによって、あらゆる残留圧力が圧力トランスミッタから解放され、次いで、ブリードバルブを閉鎖することによって圧力トランスミッタが周囲から閉鎖され、最後に、進入ブロックバルブを開放することによって圧力トランスミッタは流体ラインに再接続される。
【０００５】
ASTAVA B.V.,Meppel/NLは、複雑なトラックに機械的に捕捉され、ハンドルを位置決めおよび回転させることによって、まず管分岐路を選択し、次いで進入ブロックバルブを閉鎖し、次いでブリードバルブを開放し、最後に選択された分岐路の出口ブロックバルブを閉鎖することのみを許容するクランクハンドルに基づく、１ｏｏ３および１ｏｏ２  ｄｂｂマニホールド用のインターロッキングシステムを提供している。Smith Flow Control Ltd.、 Lynbrook/AU and Netherlocks Safety Systems、Alphen aan den Rijn/NLはそれぞれ、精巧なルーズキーシステムを提供しており、この場合、あらゆるキーが、制御室から提供され、同等のバルブに適用されることにより、オペレータは、この同じバルブを開放または閉鎖することのみができる。公知のトラック捕捉ハンドルおよび公知のキーシステムの双方は、上記により管分岐マニホールドを構築することができる。
【０００６】
発明の技術背景において、米国特許第４４２９７１１号明細書は、一対の管ラインを差圧測定機器に接続するためのマルチバルブ・インターロックおよび制御システムを開示している。公知のシステムは、３つのバルブを有しており、各バルブは、スイベルハンドルによって駆動され、各ハンドルは、円形の制御手段を有しており、円形の制御手段は、バルブが機械的に規定された順序でのみ開放または閉鎖させられるように、他の制御手段と機械的に相互作用するための３つまでの切欠を有している。
【０００７】
従来技術の欠点は、作動させるのが厄介であり、海中作動のような遠隔作動のために適用するのが容易でないということである。
【０００８】
解決されるべき問題
本発明の課題は、機械的に単純かつ作動するのが容易であるように維持され、かつ海中用途においていわゆるＲＯＶによって遠隔作動のために適応させられることができる、１ｏｏＮ  ｄｂｂ管分岐マニホールドを提供することである。
【０００９】
発明の概要
本発明は、セレクタ手段が、標準的なブロッキングエレメントおよび試験許容エレメントを有し、各進入ブロックバルブが、標準的なブロッキングエレメントに確実に嵌合する標準的なブロッキングカウンターエレメントと、試験許容エレメントに確実に嵌合する試験許容カウンターエレメントとを備える進入制御手段を有しており、それぞれの管分岐路の標準的な作動において、標準的なブロッキングエレメントと標準的なブロッキングカウンターエレメントとの機械的な相互作用が、進入ブロックバルブが閉鎖することを防止し、試験作動のためにそれぞれの管分岐路を選択した後、試験許容エレメントと試験許容カウンターエレメントとの機械的な相互作用が、進入ブロックバルブを閉鎖させ、その後、それぞれのブリードバルブおよび出口バルブの開放および閉鎖を許容し、試験作動またはメンテナンス作動のいずれかを可能にすることを提案する。
【００１０】
各進入制御手段と相互作用する本発明による管分岐マニホールドにおけるセレクタ手段は、２つの機能を有する。標準的な作動において、この相互作用は、それぞれの進入ブロックバルブをブロックし（これは、必然的に、セレクタ手段が管分岐マニホールドの一体的部分であることを示唆する）、試験作動またはメンテナンス作動では、選択された進入ブロックバルブを解放し、引き続き、当該分岐路における他のバルブを解放する。セレクタ手段の２つの機能、および管分岐マニホールドへの１つの構成部材としてのセレクタ手段の一体化の双方が、管分岐マニホールドを機械的に単純に維持し、ロックされることができ、作動するのが容易である。
【００１１】
好適には、本発明による管分岐マニホールドにおいて、標準的なブロッキングカウンターエレメントおよび試験許容エレメントは、セレクタ手段内、および進入制御手段内へそれぞれ成形された切欠である。切欠は、例えば、成形によって、またはフライス削りによって、セレクタ手段内および進入制御手段内へ容易に成形することができる。
【００１２】
有利には、本発明による管分岐マニホールドにおいて、進入制御手段は、回転可能なディスクである。一般的に公知のバルブは、手動のための、スイベルハンドルまたはホイールを有する。回転可能なディスクは、設計によって、このようなハンドルまたはホイールの軸に容易に加えることができる。
【００１３】
好適には、このような管分岐マニホールドにおいて、試験許容カウンターエレメントはディスクの半径を有する。円形ディスクのセグメントである試験許容カウンターエレメントは、基本的に円形ディスクである進入制御手段内へ製造するのが特に容易である。
【００１４】
理想的には、本発明による管分岐マニホールドにおいて、セレクタ手段は、回転可能なディスクである。このような管分岐マニホールドにおいて、試験作動のためにあらゆる管分岐路を選択することは、回転可能なディスクの軸線を中心にセレクタ手段を回転させることによって容易に行われる。本発明による別の管分岐マニホールドにおいて、セレクタ手段は、スライド可能なバーであってもよく、進入制御手段は、バーに沿って並列に配置されている。
【００１５】
本発明による管分岐マニホールドの好適な実施の形態において、各ブリードバルブは、進入制御手段における第２の標準的なブロッキングエレメントに確実に嵌合する第２の標準的なブロッキングカウンターエレメントと、進入制御手段における第２の試験許容エレメントに確実に嵌合する第２の試験許容カウンターエレメントとを備えるブリード制御手段を有しており、進入ブロックバルブの開放状態において、第２の標準的なブロッキングエレメントと第２の標準的なブロッキングカウンターエレメントとの機械的な相互作用が、ブリードバルブが開放することを防止し、進入ブロックバルブの閉鎖状態において、第２の試験許容エレメントと第２の試験許容カウンターエレメントとの機械的な相互作用が、ブリードバルブを開放させる。
【００１６】
このような管分岐マニホールドにおいて、各進入制御手段は、セレクタ手段との相互作用に加えて、さらに、それぞれのブリード制御手段と相互作用することによって、２つの機能を有する。標準的な作動において、この相互作用は、それぞれのブリードバルブをブロックし、試験作動において、ブリードバルブを解放する。進入制御手段の別の機能は、この管分岐マニホールドを、さらにより機械的に単純に維持し、かつ作動するのが容易に維持する。
【００１７】
好適には、このような本発明による管分岐マニホールドにおいて、第２の標準的なブロッキングカウンターエレメントおよび第２の試験許容エレメントは、進入制御手段内、およびブリード制御手段内へそれぞれ成形された切欠である。切欠は、例えば、成形によって、またはフライス削りによって、進入制御手段内およびブリード制御手段内へ容易に成形することができる。
【００１８】
有利には、本発明によるこのような管分岐マニホールドにおいて、ブリード制御手段は、第２の回転可能なディスクである。一般的に公知のブリードバルブは、手動のための、スイベルハンドルまたはホイールを有する。回転可能なディスクは、設計によって、このようなハンドルまたはホイールの軸に容易に加えることができる。
【００１９】
好適には、このような管分岐マニホールドにおいて、第２の標準的なブロッキングエレメントは、ディスクの半径を有しており、第２の試験許容カウンターエレメントは、第２のディスクの半径を有する。円形ディスクのセグメントである第２の標準的なブロッキングエレメントは、基本的に円形ディスクであるブリード制御手段内へ製造するのが特に容易である。
【００２０】
本発明による管分岐マニホールドの好適な実施の形態において、各出口ブロックバルブは、ブリード制御手段における第３の標準的なブロッキングエレメントに確実に嵌合する第３の標準的なブロッキングカウンターエレメントと、ブリード制御手段における第３の試験許容エレメントに確実に嵌合する第３の試験許容カウンターエレメントとを備えるブリード制御手段を有しており、進入ブロックバルブの開放状態において、第３の標準的なブロッキングエレメントと第３の標準的なブロッキングカウンターエレメントとの機械的な相互作用が、出口ブロックバルブが閉鎖することを防止し、ブリードバルブの開放状態において、第３の試験許容エレメントと第３の試験許容カウンターエレメントとの機械的な相互作用が、出口ブロックバルブを閉鎖させる。
【００２１】
このような管分岐マニホールドにおいて、各ブリード制御手段は、進入制御手段との相互作用に加えて、さらに、それぞれの出口制御手段と相互作用することによって、２つの機能を有する。標準的な作動において、この相互作用は、それぞれの出口ブロックバルブをブロックし、試験作動において、出口ブロックバルブを解放する。ブリード制御手段の別の機能は、この管分岐マニホールドを、さらにより機械的に単純に維持し、かつ作動するのが容易に維持する。
【００２２】
好適には、このような本発明による管分岐マニホールドにおいて、第３の標準的なブロッキングカウンターエレメントおよび第３の試験許容エレメントは、ブリード制御手段内、および出口制御手段内へそれぞれ成形された切欠である。切欠は、例えば、成形によって、またはフライス削りによって、ブリード制御手段内および出口制御手段内へ容易に成形することができる。
【００２３】
有利には、本発明によるこのような管分岐マニホールドにおいて、出口制御手段は、第３の回転可能なディスクである。一般的に公知の出口ブロックバルブは、手動のための、スイベルハンドルまたはホイールを有する。回転可能なディスクは、設計によって、このようなハンドルまたはホイールの軸に容易に加えることができる。
【００２４】
好適には、このような管分岐マニホールドにおいて、第３の標準的なブロッキングエレメントは、第２のディスクの半径を有しており、第３の試験許容カウンターエレメントは、第３のディスクの半径を有する。円形ディスクのセグメントである第３の標準的なブロッキングエレメントは、基本的に円形ディスクである出口制御手段内へ製造するのが特に容易である。
【００２５】
本発明は、さらに、流体ラインのための高度圧力保護システム（ＨＩＰＰＳ）であって、ＨＩＰＰＳは、オン／オフバルブと、ロジックソルバと、ラインの下流圧力を監視するためのイニシエータと、アクチュエータとを有しており、オン／オフバルブは、下流圧力が臨界値を超えると自動的に閉鎖し、イニシエータは、複数の管分岐路を備える、本発明による管分岐マニホールドを有しており、各管分岐路はそれぞれの圧力トランスミッタに接続されている。本発明によるＨＩＰＰＳの管分岐マニホールドは、“背景技術”セクションにおいて前に特徴付けられたような“Ｎ中の１ダブルブロックおよびブリード”（“１ｏｏＮ  ｄｂｂ”）マニホールドである。本発明によるＨＩＰＰＳは、本発明による管分岐マニホールドに関して前に言及された利点を特徴とする。マニホールドには、セレクタ、進入ブロックバルブ、ブリードバルブおよび出口ブロックバルブの位置を示すための近接スイッチを設けることができる。
【００２６】
ラインの下流圧力を監視するためのイニシエータは、圧力トランスミッタまたは圧力スイッチであることができる。オン／オフバルブは、イニシエータ（圧力スイッチ）またはロジックソルバによって自動的に閉鎖することができる。ＨＩＰＰＳは、出口ブロックバルブとイニシエータ（圧力トランスミッタ、センサ）との間に、出口バルブの下流に試験接続を有することができる。択一的に、試験は、ブリードバルブを介して行うことができる。セレクタ手段におけるポジションスイッチおよび／または制御手段のいずれかは、遠隔検出を可能にすることができる。
【００２７】
本発明は、さらに、標準的な作動から試験作動へ切り替えるために管分岐路のいずれかを選択するステップを含む、本発明による管分岐マニホールドを作動させる方法を提案する。本発明による方法もまた、本発明による管分岐マニホールドに関して前に言及された利点を特徴とする。
【００２８】
発明を実施するための最良の形態
本発明による装置および関連する方法は、引き続き、以下の概略的な図面に示された好適な実施の形態を引用してより詳細に説明される。
【図面の簡単な説明】
【００２９】
【図１】標準的な作動における、従来の１ｏｏ３  ｄｂｂマニホールドにおけるバルブを示している。
【図２ａ】標準的な作動における、本発明による１ｏｏ３  ｄｂｂマニホールドを示している。
【図２ｂ】マニホールドの進入制御手段を示している。
【図２ｃ】マニホールドのブリード制御手段および出口制御手段を示している。
【図３ａ】試験作動のために選択された１つの分岐路を備えるマニホールドを示している。
【図３ｂ】選択された分岐路の進入ブロックバルブが閉鎖されているマニホールドを示している。
【図３ｃ】選択された分岐路のブリードバルブが開放しているマニホールドを示している。
【図３ｄ】選択された分岐路の出口ブロックバルブが閉鎖されているマニホールドを示している。
【図４】本発明による第２のマニホールドを示している。
【図５ａ】進入ブロックバルブが閉鎖されている本発明による第３のマニホールドの分岐路詳細図を示している。
【図５ｂ】ブリードバルブが３分の１だけ開放しているときの詳細を示している。
【図５ｃ】ブリードバルブが３分の２だけ開放しているときの詳細を示している。
【図５ｄ】ブリードバルブが完全に開放しているときの詳細を示している。
【図６ａ】標準的な作動における、本発明による第４のマニホールドの分岐路詳細図を示している。
【図６ｂ】進入ブロックバルブが閉鎖されている詳細を示している。
【図６ｃ】部分的に開放したステップにおけるブリードバルブを備える詳細を示している。
【図６ｄ】部分的に開放したステップにおけるブリードバルブを備える詳細を示している。
【図６ｅ】部分的に開放したステップにおけるブリードバルブを備える詳細を示している。
【図６ｆ】部分的に開放したステップにおけるブリードバルブを備える詳細を示している。
【図６ｇ】完全に開放したステップにおけるブリードバルブを備える詳細を示している。
【図７ａ】標準的な作動における、本発明による第５のマニホールドの分岐路詳細図を示している。
【図７ｂ】進入ブロックバルブが閉鎖されている詳細を示している。
【図７ｃ】ブリードバルブが開放している詳細を示している。
【００３０】
図１は、３つの別個の圧力トランスミッタをガスまたはオイル流体ライン２に接続している、高度圧力保護システム（ＨＩＰＰＳ）において使用するための従来の“ワン・アウト・オブ・スリー・ダブル・ブロック・アンド・ブリード”（“１ｏｏ３  ｄｂｂ”）マニホールド１を概略的に示している。公知のマニホールド１は、３つの別個の管分岐路３に分割された１つのプロセスコネクションを有しており、各管分岐路３は、流体ライン２に接続されており、進入ブロックバルブ４と、ブリードバルブ５と、出口ブロックバルブ６とを有しており、圧力トランスミッタのうちの１つに接続されている。進入ブロックバルブ４と、ブリードバルブ５と、出口ブロックバルブ６とは、ボールバルブであり、それぞれが、紙面に対して直角の軸線を中心にして、時計回りまたは反時計回りに４分の１回転だけ回転することによって開放または閉鎖させられる。圧力トランスミッタと、ＨＩＰＰＳの他の部分とは、図１には示されていない。
【００３１】
各分岐路３において、マニホールド１の標準的な作動において、流体はまず進入ブロックバルブ４を、次いで、ブリードバルブ５を、次いで、出口ブロックバルブ６を通過し、最後に、圧力トランスミッタへ進入する。
【００３２】
図２ａは、前記の公知のマニホールド１に基づく、本発明による第１のマニホールド７を示している。マニホールド７において、各進入ブロックバルブ４は進入制御手段８，９を有しており、各ブリードバルブ５はブリード制御手段１０を有しており、各出口ブロックバルブ６は出口制御手段１１を有している。マニホールド７は、さらに、試験作動のために、分岐路３のうちのいずれかを選択するためのセレクタ手段１２を有する。マニホールド７において、セレクタ手段１２と、進入制御手段８，９と、ブリード制御手段１０と、出口制御手段１１とは、全て、基本的に、進入ブロックバルブ４と、ブリードバルブ５と、出口ブロックバルブ６との作動軸に取り付けられた（セレクタ手段１２から間隔を置かれた）円形の回転可能なディスクである。作動軸は示されていない。セレクタ手段１２は、１００ｍｍの直径１３を有しており、進入制御手段８，９の直径１５に合致する１つの切欠１４を有している。その他の好適な実施の形態において、直径１３は、バルブ寸法に基づいて変化する。
【００３３】
図２ｂに示された進入制御手段８，９は、９０ｍｍの直径１５を有しており、１つの切欠１６はセレクタ手段１２の直径１３に合致しており、別の切欠１７はブリード制御手段１０の直径１８に合致している。その他の好適な実施の形態において、直径１５は、バルブ寸法に基づいて変化する。マニホールド７は、２つの異なるタイプの進入制御手段８，９を有する。第１のタイプの進入制御手段８は、左側および右側の分岐路３の進入ブロックバルブ４に取り付けられている。第１の切欠１６と第２の切欠１７とが、進入制御手段８の互いに反対の側に位置している。
【００３４】
第２のタイプの進入制御手段９は、中間分岐路３の進入ブロックバルブ４に取り付けられており、直角の位置に第１の切欠１６と第２の切欠１７とを有する。
【００３５】
マニホールド７のブリード制御手段１０と出口制御手段１１とは、全ての３つの分岐路において同じである。両者は８０ｍｍの直径１８を有する。その他の好適な実施の形態において、直径１８は、バルブ寸法に基づいて変化する。ブリード制御手段１０は、進入制御手段８，９の直径１５に合致する第１の切欠１９を有しており、直角の位置に、出口制御手段１１の直径１８に合致する第２の切欠２０を有している。出口制御手段１１は、ブリード制御手段１０の直径１８に合致する１つの切欠２１を有している。
【００３６】
第１のマニホールド７において、進入制御手段８，９と、ブリード制御手段１０と、出口制御手段１１と、セレクタ手段１２とは、同一平面にあり、第１のマニホールド７の切欠１４，１６，１７，１９，２０，２１はレンズ形である。
【００３７】
マニホールド７の標準的な作動モードにおいて、セレクタ手段１２の標準的なブロッキングエレメント２３としての円形のエッジ２２が、進入制御手段８，９の標準的なブロッキングカウンターエレメント２４としての第１の切欠１６に嵌合し、進入制御手段８，９の回転を防止し、進入ブロックバルブ４を閉鎖する。進入制御手段８，９の第２の標準的なブロッキングエレメント２６としての円形のエッジ２５が、ブリード制御手段１０の第２の標準的なブロッキングカウンターエレメント２７としての第１の切欠１９に嵌合し、ブリード制御手段１０の回転を防止し、ブリードバルブ５を周囲に対して開放させる。ブリード制御手段１０の第３の標準的なブロッキングエレメント２９としての円形のエッジ２８は、出口制御手段１１の第３の標準的なブロッキングカウンターエレメント３０としての切欠２１に嵌合し、出口制御手段１１の回転を防止し、出口ブロックバルブ６を閉鎖する。
【００３８】
図３ａ〜図３ｄは、右側の分岐路３の作動を試験するためにマニホールド７を設定するための一連の行為を示している。
【００３９】
第１に、図３ａによれば、セレクタ手段１２が反時計回りに４分の１回転だけ回転させられる。ここで、セレクタ手段１２の試験許容エレメント３１としての切欠１４が、右側の進入制御手段８の試験許容カウンターエレメント３２としての円形のエッジ２５に嵌合し、右側の進入制御手段８の回転を許容する。
【００４０】
第２に、図３ｂによれば、右側の進入制御手段８は、反時計回りに４分の１回転だけ回転させられ、右側の進入ブロックバルブ４が閉鎖される。ここで、右側の進入制御手段８の第２の試験許容エレメント３３としての第２の切欠１７が、右側のブリード制御手段１０の第２の試験許容カウンターエレメント３４としての円形のエッジ２８に嵌合し、右側のブリード制御手段１０の回転を許容する。ここで、右側の進入制御手段８の円形のエッジ２５は、セレクタ手段１２の切欠１４に嵌合し、セレクタ手段１２の回転を防止する。
【００４１】
第３に、図３ｃによれば、右側のブリード制御手段１０が時計回りに４分の１回転だけ回転させられ、右側のブリードバルブ５、ひいては圧力トランスミッタが周囲に対して開放される。ここで、右側のブリード制御手段１０の第３の試験許容エレメント３５としての第２の切欠２０が、右側の出口制御手段１１の第３の試験許容カウンターエレメント３７としての円形のエッジ３６に嵌合し、右側の出口制御手段１１の回転を許容する。ここで、右側のブリード制御手段１０の円形のエッジ２８が、右側の進入制御手段８の第２の切欠１７に嵌合し、右側の進入制御手段８の回転を防止する。
【００４２】
第４に、図３ｄによれば、右側の出口制御手段１１が時計回りに４分の１回転だけ回転させられ、右側の出口ブロックバルブ６が閉鎖される。ここで、右側の出口制御手段１１の円形のエッジ３６が、右側のブリード制御手段１０の第２の切欠２０に嵌合し、右側のブリード制御手段１０の回転を防止する。
【００４３】
図３ｄに示された試験作動モードに設定した後、右側の分岐路３における圧力トランスミッタは、流体ライン２の圧力から解放され、かつ右側の分岐路３から分離される。ここで、ＨＩＰＰＳの機能に影響することなく、圧力トランスミッタを試験または交換することができる。
【００４４】
上記とは異なり、マニホールド７を左側の分岐路３のための試験作動に設定するためには、セレクタ手段１２は、時計回りに４分の１回転だけ回転させられる。その代わりに、中間分岐路３のための試験作動に設定するためには、セレクタ手段１２は、半回転だけ回転させられ、中間進入制御手段９を４分の１回転だけ時計回りに回転させる。各分岐路３のために、ブリード制御手段１０および出口制御手段１１の作動は上記のとおりである。
【００４５】
右側の分岐路３における圧力トランスミッタの試験または交換が成功した後、図３ａ〜図３ｄに示された一連の行為は、標準的な作動モードに戻るまで、逆の順序でなされねばならない。
【００４６】
第１に、図３ｄとは逆に、右側の出口制御手段１１は反時計回りに４分の１回転だけ回転させられ、右側の出口ブロックバルブ６が開放され、ひいては圧力トランスミッタが周囲に対して開放される。ここで、右側の出口制御手段１１の切欠２１が、右側のブリード制御手段１０の円形のエッジ２８に嵌合し、右側のブリード制御手段１０の回転を許容する。
【００４７】
第２に、図３ｃとは逆に、右側のブリード制御手段１０が反時計回りに４分の１回転だけ回転させられ、右側のブリードバルブ５、ひいては圧力トランスミッタが周囲から閉鎖される。ここで、右側のブリード制御手段１０の第１の切欠１９が、右側の進入制御手段８の円形のエッジ２５に嵌合し、右側の進入制御手段８の回転を許容する。ここで、右側のブリード制御手段１０の円形のエッジ２８が、右側の出口制御手段１１の切欠２１に嵌合し、右側の出口制御手段１１の回転を防止する。
【００４８】
第３に、図３ｂとは逆に、右側の進入制御手段８が時計回りに４分の１回転だけ回転させられ、右側の進入ブロックバルブ４、ひいては圧力トランスミッタが流体ライン２に対して開放される。ここで、右側の進入制御手段８の第１の切欠１６が、セレクタ手段１２の円形のエッジ２２に嵌合し、セレクタ手段１２の回転を許容する。ここで、右側の進入制御手段８の円形のエッジ２５が、右側のブリード制御手段１０の第１の切欠１９に嵌合し、右側のブリード制御手段１０の回転を防止する。
【００４９】
第４に、図３ａとは逆に、セレクタ手段１２が時計回りに４分の１回転だけ回転させられる。ここで、セレクタ手段１２の円形のエッジ２２が、右側の進入制御手段８の第１の切欠１６に嵌合し、右側の進入制御手段８の回転を防止する。択一的に、セレクタ手段１２は、マニホールド７を左側の分岐路３のための試験作動に設定するために半回転、またはマニホールド７を中間分岐路３のための試験作動に設定するために反時計回りに４分の１回転だけ回転させられてもよい。
【００５０】
図４は、セレクタ手段３９がバーであり、進入制御手段４１の第１の切欠４０が直線的に切断されたセグメントであるという点において上記の第１のマニホールド７とは異なる本発明による第２のマニホールド３８を示している。
【００５１】
第２のマニホールド３８は標準的な作動モードにおいて示されているが、右側の管分岐路４２の試験作動のために準備されている。セレクタ手段３９の標準的なブロッキングエレメント４４としての上側の直線的なエッジ４３は、左側および中間の進入制御手段４１の標準的なブロッキングカウンターエレメント４５としての第１の切欠４０に嵌合し、左側および中間の進入制御手段４１の回転を防止し、左側および中間の進入ブロックバルブならびにそれぞれの圧力トランスミッタを流体ライン４６から閉鎖している。セレクタ手段３９の試験許容エレメント４８としての切欠４７は、右側の進入制御手段４１の試験許容カウンターエレメント５０としての円形のエッジ４９に嵌合し、右側の進入制御手段４１の回転を許容し、右側の進入ブロックバルブおよびそれぞれの圧力トランスミッタを流体ライン４６から閉鎖する。圧力トランスミッタは示されていない。
【００５２】
図５ａは、本発明による第３の（示されていない別の）マニホールドの分岐路における進入制御手段５１と、ブリード制御手段５２と、出口制御手段５３との側面図および平面図を示している。第３のマニホールドは、ブリードバルブがニードルバルブであり、周囲に対して完全に開放させるために、時計回りに（４分の１の代わりに）４分の３回転を必要とするという点において第１のマニホールド７とは異なる。
【００５３】
第３のマニホールドにおいて、進入制御手段５１および出口制御手段５３の形状は基本的に第１のマニホールド７の形状と同じである。進入制御手段５１のみが、出口制御手段５３の厚さ５４の２倍を有しており、第２の切欠５５（ひいては、ブリード制御手段５２の第１の切欠５６）は、第１のマニホールド７におけるよりも小さい。
【００５４】
ブリード制御手段５２も、出口制御手段５３の厚さ５４の２倍を有する。第１のマニホールド７とはさらに異なり、出口制御手段５３の円形のエッジ５８に嵌合するブリード制御手段５２の第２の切欠５７は、出口制御手段５３の厚さ５４のみを有する（出口制御手段５３の厚さ５４よりも僅かに大きい）。
【００５５】
図５ａによれば、関連する分岐路が試験作動のために選択され、進入制御手段５１が時計回りに４分の１回転だけ回転させられ、進入ブロックバルブが閉鎖される。ここで、進入制御手段５１の第２の試験許容エレメント５９としての第２の切欠５５が、ブリード制御手段５２の第２の試験許容カウンターエレメント６１としての円形のエッジ６０に嵌合し、ブリード制御手段５２の回転を許容する。ブリード制御手段５２の第３の標準的なブロッキングエレメント６２としての円形のエッジ６０は、出口制御手段５３の第３の標準的なブロッキングカウンターエレメント６４としての切欠６３に嵌合しており、出口制御手段５３の回転を防止している。
【００５６】
ブリード制御手段５２を時計回りに４分の１回転だけ回転させた後、図５ｂによれば、ブリードバルブが３分の１だけ開放している。進入制御手段５１の第２の切欠５５は、さらに、ブリード制御手段５２の円形のエッジ６０に嵌合し、第２の切欠は、５４よりも僅かに大きな厚さを有する。進入制御手段５１の切欠５５は、ブリード制御手段５２の第２の切欠５７を充填する。ブリード制御手段５２の円形のエッジ６０は、さらに、出口制御手段５３の切欠６３に嵌合している。
【００５７】
ブリード制御手段５２を時計回りにさらに４分の１回転だけ回転させた後、図５ｃによれば、ブリードバルブは３分の２だけ開放している。進入制御手段５１の第２の切欠５５は、さらに、ブリード制御手段５２の円形のエッジ６０に嵌合している。ブリード制御手段５２の円形のエッジ６０は、さらに、出口制御手段５３の切欠６３に嵌合している。なぜならば、ブリード制御手段５２の第１の切欠５６が出口制御手段５３の切欠６３よりも小さいからである。
【００５８】
ブリード制御手段５２を時計回りに最後の４分の１回転だけ回転させた後、図５ｄによれば、ブリードバルブが完全に開放する。進入制御手段５１の第２の切欠５５は、さらに、ブリード制御手段５２の円形のエッジ６０に嵌合している。ここで、ブリード制御手段５２の第３の試験許容エレメント６５としての第２の切欠５７が、出口制御手段５３の第３の試験許容カウンターエレメント６６としての円形のエッジ５８に嵌合し、出口制御手段５３の回転を許容し、出口ブロックバルブを閉鎖する。
【００５９】
図６ａは、本発明による第４の（示されていない別の）マニホールドの分岐路における進入制御手段６７と、ブリード制御手段６８と、出口制御手段６９との側面図および平面図を示している。第４のマニホールドは、ブリードバルブがニードルバルブであり、周囲に対して完全に開放させるために、反時計回りに（４分の１の代わりに）複数回転を必要とするという点において第１のマニホールド７とは異なる。
【００６０】
第４のマニホールドにおいて、進入制御手段６７および出口制御手段６９の形状は基本的に第１のマニホールド７の進入制御手段６７および出口制御手段６９の形状と同じである。進入制御手段６７は、出口制御手段６９の厚さ７０の１．５倍のみを有する。
【００６１】
ブリード制御手段６８は、出口制御手段６９の厚さ７０の２倍を有する。第１のマニホールド７とはさらに異なり、進入制御手段６７の円形のエッジ７２に嵌合するブリード制御手段６８の第１の切欠７１は、進入制御手段６７の厚さ７０のみを有する（進入制御手段６７の厚さ７０よりも僅かに大きい）。ブリード制御手段６８は、出口制御手段６９に嵌合する第２の制御手段を有さない。その代わりに、ブリード制御手段６８は、出口制御手段６９の回転を許容するために、回転しているときに出口制御手段６９上へ持ち上がる。
【００６２】
図６ａに示された標準的な作動モードから始まり、関連する分岐路が試験作動のために選択された後、図６ｂによれば、進入制御手段６７が時計回りに４分の１回転だけ回転させられ、進入ブロックバルブが閉鎖される。進入制御手段６７の第２の試験許容エレメント７４としての第２の切欠７３が、ブリード制御手段６８の第２の試験許容カウンターエレメント７６としての円形のエッジ７５に嵌合し、ブリード制御手段６８の回転を許容する。ブリード制御手段６８の第３の標準的なブロッキングエレメント７７としての円形のエッジ７５は、出口制御手段６９の第３の標準的なブロッキングカウンターエレメント７９としての切欠７８に嵌合し、出口制御手段６９の回転を防止している。
【００６３】
ブリード制御手段６８を時計回りに４分の１回転だけ回転させた後、図６ｃによれば、ブリードバルブが６分の１だけ開放している。進入制御手段６７の第２の切欠７３は、さらに、ブリード制御手段６８の円形のエッジ７５に嵌合している。ブリード制御手段６８の円形のエッジ７５は、さらに、出口制御手段６９の切欠７８に嵌合している。
【００６４】
ブリード制御手段６８を時計回りにさらに４分の１回転だけ回転させた後、図６ｄによれば、ブリードバルブは６分の２だけ開放している。進入制御手段６７の第２の切欠７３は、さらに、ブリード制御手段６８の円形のエッジ７５に嵌合している。ブリード制御手段６８の第１の切欠７１に重なり合うブリード制御手段６８の円形のエッジ７５は、さらに、出口制御手段６９の切欠７８に嵌合している。
【００６５】
ブリード制御手段６８を時計回りにさらに４分の１回転だけ回転させた後、図６ｅによれば、ブリードバルブは半分だけ開放している。進入制御手段６７の第２の切欠７３は、さらに、ブリード制御手段６８の円形のエッジ７５に嵌合している。ブリード制御手段６８の円形のエッジ７５は、さらに、出口制御手段６９の切欠７８に嵌合している。
【００６６】
ブリード制御手段６８を時計回りにさらに４分の１回転だけ回転させた後、図６ｆによれば、ブリードバルブは３分の２だけ開放している。進入制御手段６７の第２の切欠７３は、さらに、ブリード制御手段６８の第１の切欠７１に重なり合うブリード制御手段６８の円形のエッジ７５に嵌合している。ブリード制御手段６８の円形のエッジ７５は、さらに、出口制御手段６９の切欠７８に嵌合している。
【００６７】
ブリード制御手段６８を時計回りに最後の半回転だけ回転させた後、図６ｇによれば、ブリードバルブは完全に開放している。進入制御手段６７の第２の切欠７３は、さらに、ブリード制御手段６８の円形のエッジ７５に嵌合している。その一方、ブリード制御手段６８は出口制御手段６９上へ持ち上がっている。これにより、ブリード制御手段６８の第３の試験許容エレメント８１としての下面８０が、出口制御手段６９の第３の試験許容カウンターエレメント８３としての上面８２に嵌合し、出口制御手段６９の回転を許容し、出口ブロックバルブを閉鎖する。
【００６８】
図７ａは、本発明による第５の（示されていない別の）マニホールドの分岐路における進入制御手段８４と、ブリード制御手段８５と、出口制御手段８６との側面図および平面図を示している。第５のマニホールドは、分岐路の側部にブリードバルブを有するという点において第１のマニホールド７とは異なる。
【００６９】
第１のマニホールド７におけるように、進入制御手段８４は、セレクタ手段に嵌合する１つの切欠（切欠およびセレクタ手段はここでは示されていない）と、ブリード制御手段８５に嵌合する別の切欠８７とを有している。ブリード制御手段８５は、進入制御手段８４に嵌合する第１の切欠８８と、直角で、出口制御手段８６に嵌合する第２の切欠８９とを有している。出口制御手段８６は、ブリード制御手段８５に嵌合する１つの切欠９０を有している。分岐路において、進入制御手段８４および出口制御手段８６は、同一平面にあり、ブリード制御手段８５に対して垂直である。第５のマニホールドの切欠８７，８８，８９，９０はスロットである。
【００７０】
図７ａに示された標準的な作動モードにおいて、進入制御手段８４の第２の標準的なブロッキングエレメント９２としての円形のエッジ９１は、ブリード制御手段８５の第２の標準的なブロッキングカウンターエレメント９３としての第１の切欠８８に嵌合し、ブリード制御手段８５の回転を防止している。ブリード制御手段８５の第３の標準的なブロッキングエレメント９５としての円形のエッジ９４は、出口制御手段８６の第３の標準的なブロッキングカウンターエレメント９６としての切欠９０に嵌合し、出口制御手段８６の回転を防止している。
【００７１】
図７ｂおよび図７ｃは、分岐路を試験作動に設定するための一連の行為を示している。
【００７２】
試験作動のための分岐路を選択した後、図７ｂによれば、進入制御手段８４は、反時計回りに４分の１回転だけ回転させられ、右側の進入ブロックバルブが閉鎖される。ここで、進入制御手段８４の第２の試験許容エレメント９７としての第２の切欠８７が、ブリード制御手段８５の第２の試験許容カウンターエレメント９８としての円形のエッジ９４に嵌合し、ブリード制御手段８５の回転を許容する。ここで、進入制御手段８４の円形のエッジ９１は、セレクタ手段の回転を防止する。
【００７３】
次いで、図７ｃによれば、ブリード制御手段８５が時計回りに４分の１回転だけ回転させられ、ブリードバルブ、ひいては圧力トランスミッタが周囲に対して開放される。ここで、ブリード制御手段８５の第３の試験許容エレメント９９としての第２の切欠８９が、出口制御手段８６の第３の試験許容カウンターエレメント１０１としての円形のエッジ１００に嵌合し、出口制御手段８６の回転を許容する。ここで、ブリード制御手段８５の円形のエッジ９４が、進入制御手段８４の第２の切欠８７に嵌合し、進入制御手段８４の回転を防止する。
【００７４】
本発明によるさらに別のＨＩＰＰＳでは、試験接続が、出口ブロックバルブと圧力トランスミッタ（センサ）との間にあってもよい。さらに択一的に、試験は、ブリードバルブを介してなされてもよい。セレクタ手段におけるポジションスイッチおよび／または制御手段のうちのいずれかが、遠隔検出を可能にしてもよい。
【符号の説明】
【００７５】
１  マニホールド
２  流体ライン
３  分岐路
４  進入ブロックバルブ
５  ブリードバルブ
６  出口ブロックバルブ
７  マニホールド
８  進入制御手段
９  進入制御手段
１０  ブリード制御手段
１１  出口制御手段
１２  セレクタ手段
１３  直径
１４  切欠
１５  直径
１６  切欠
１７  切欠
１８  直径
１９  切欠
２０  切欠
２１  切欠
２２  エッジ
２３  標準的なブロッキングエレメント
２４  標準的なブロッキングカウンターエレメント
２５  エッジ
２６  標準的なブロッキングエレメント
２７  標準的なブロッキングカウンターエレメント
２８  エッジ
２９  標準的なブロッキングエレメント
３０  標準的なブロッキングカウンターエレメント
３１  試験許容エレメント
３２  試験許容カウンターエレメント
３３  試験許容エレメント
３４  試験許容カウンターエレメント
３５  試験許容エレメント
３６  エッジ
３７  試験許容カウンターエレメント
３８  マニホールド
３９  セレクタ手段
４０  切欠
４１  進入制御手段
４２  分岐路
４３  エッジ
４４  標準的なブロッキングエレメント
４５  標準的なブロッキングカウンターエレメント
４６  流体ライン
４７  切欠
４８  試験許容エレメント
４９  エッジ
５０  試験許容カウンターエレメント
５１  進入制御手段
５２  ブリード制御手段
５３  出口制御手段
５４  厚さ
５５  切欠
５６  切欠
５７  切欠
５８  エッジ
５９  試験許容エレメント
６０  エッジ
６１  試験許容カウンターエレメント
６２  標準的なブロッキングエレメント
６３  切欠
６４  標準的なブロッキングカウンターエレメント
６５  試験許容エレメント
６６  試験許容カウンターエレメント
６７  進入制御手段
６８  ブリード制御手段
６９  出口制御手段
７０  厚さ
７１  切欠
７２  エッジ
７３  切欠
７４  試験許容エレメント
７５  エッジ
７６  試験許容カウンターエレメント
７７  標準的なブロッキングエレメント
７８  切欠
７９  標準的なブロッキングカウンターエレメント
８０  面
８１  試験許容エレメント
８２  面
８３  試験許容カウンターエレメント
８４  進入制御手段
８５  ブリード制御手段
８６  出口制御手段
８７  切欠
８８  切欠
８９  切欠
９０  切欠
９１  エッジ
９２  標準的なブロッキングエレメント
９３  標準的なブロッキングカウンターエレメント
９４  エッジ
９５  標準的なブロッキングエレメント
９６  標準的なブロッキングカウンターエレメント
９７  試験許容エレメント
９８  試験許容カウンターエレメント
９９  試験許容エレメント
１００  エッジ
１０１  試験許容カウンターエレメント
【図１】
0006389008.tif 000002
【図２ａ】
0006389008.tif 000003
【図２ｂ】
0006389008.tif 000004
【図２ｃ】
0006389008.tif 000005
【図３ａ】
0006389008.tif 000006
【図３ｂ】
0006389008.tif 000007
【図３ｃ】
0006389008.tif 000008
【図３ｄ】
0006389008.tif 000009
【図４】
0006389008.tif 000010
【図５ａ】
0006389008.tif 000011
【図５ｂ】
0006389008.tif 000012
【図５ｃ】
0006389008.tif 000013
【図５ｄ】
0006389008.tif 000014
【図６ａ】
0006389008.tif 000015
【図６ｂ】
0006389008.tif 000016
【図６ｃ】
0006389008.tif 000017
【図６ｄ】
0006389008.tif 000018
【図６ｅ】
0006389008.tif 000019
【図６ｆ】
0006389008.tif 000020
【図６ｇ】
0006389008.tif 000021
【図７ａ】
0006389008.tif 000022
【図７ｂ】
0006389008.tif 000023
【図７ｃ】
0006389008.tif 000024